(57)【特許請求の範囲】
【請求項１】
シリンジアダプタであって、
第１の端部及び第２の端部を有するハウジングであって、第１の端部が第１の容器に固定されるように構成されているハウジング、
第１の端部及び第２の端部を有するカニューレであって、カニューレの第２の端部がハウジング内に配置されているカニューレ、
第１の端部及び第２の端部を有するコレットであって、コレットの少なくとも一部はハウジング内に受入れられ、通路を画定する本体と、通路により受入れられるシール部材と、コレットの本体に接続されたロック部材とを備え、相手コネクタを受入れるべくロック部材が開かれている第１の位置からロック部材の径方向外側への移動が制限されている第２の位置に移動可能であるコレット、及び
当該コレットが第２の位置にあるときに、当該コレットをハウジングの第２の端部に向かって付勢するように構成されている接続解除フィードバック機構、
を備え、当該接続解除フィードバック機構は、当該コレットが当該第１の位置にいる時、当該コレットのみまたは当該ハウジングのみを係合することを特徴とするシリンジアダプタ。
【請求項２】
接続解除フィードバック機構は、シール部材の延長部を備えることを特徴とする請求項１に記載のシリンジアダプタ。
【請求項３】
シール部材の延長部は、コレットが第１の位置から第２の位置に移動されたときに、ハウジングの一部と係合するように構成され、それによってシール部材を圧縮し、そしてコレットをハウジングの第２の端部に向けて付勢することを特徴とする請求項２に記載のシリンジアダプタ。
【請求項４】
シール部材の延長部は、截頭円錐面を含むことを特徴とする請求項２に記載のシリンジアダプタ。
【請求項５】
シール部材の延長部は、ハウジングの第２の端部からハウジングの第１の端部に延びる方向に先細になっていることを特徴とする請求項４に記載のシリンジアダプタ。
【請求項６】
シール部材の延長部は、ハウジングの第２の端部からハウジングの第１の端部に延びる方向に幅が狭くなっていることを特徴とする請求項５に記載のシリンジアダプタ。
【請求項７】
接続解除フィードバック機構は、コレットに固定された付勢部材を備えていることを特徴とする請求項１に記載のシリンジアダプタ。
【請求項８】
接続解除フィードバック機構は、ハウジングの第１の端部に隣接する位置からハウジングの第１及び第２の端部の中間位置までコレットを移動させるように構成されていることを特徴とする請求項１に記載のシリンジアダプタ。
【請求項９】
カニューレは、当該接続解除フィードバック機構の中央開口部を通って延びていることを特徴とする請求項８に記載のシリンジアダプタ。
【請求項１０】
付勢部材は、コレットが第１の位置から第２の位置に移動されたときに、ハウジングの一部と係合するように構成されており、それによって、付勢部材を圧縮し、ハウジングの第２の端部に向けて、コレットを付勢することを特徴とする請求項７に記載のシリンジアダプタ。
【請求項１１】
接続解除フィードバック機構は、ハウジングに固定された付勢部材を備えていることを特徴とする請求項１に記載のシリンジアダプタ。
【請求項１２】
付勢部材はスプリングであることを特徴とする請求項１１に記載のシリンジアダプタ。
【請求項１３】
付勢部材は、コレットが第１の位置から第２の位置に移動されたとき、コレットの一部と係合するように構成されており、これにより付勢部材を圧縮し、そして、コレットをハウジングの第２の端部に向けて付勢することを特徴とする
請求項１１に記載のシリンジアダプタ。
【請求項１４】
流体の閉じられた移動のためのシステムであって、
シリンジアダプタであって、
第１の端部及び第２の端部を有するハウジングであって、第１の端部が第１の容器に固定されるように構成されているハウジング、
第１の端部及び第２の端部を有するカニューレであって、カニューレの第２の端部がハウジング内に配置されているカニューレ、
第１の端部及び第２の端部を有するコレットであって、コレットの少なくとも一部はハウジング内に受入れられ、通路を画定する本体と、通路により受入れられるシール部材と、コレットの本体に接続されたロック部材とを備える、コレット、及び
第１の接続インターフェースを有する接続配列、
を備えるシリンジアダプタ、
膜体とコレットのロック部材を受入れ且つ係合するように構成されたコレットインターフェース表面とを備える接続コンポーネント、及び
第１の接続インターフェースが当該コレットから係合解除されたとき、ユーザに指示を提供するように構成された接続解除フィードバック機構、
を備え、当該コレットは、当該接続コンポーネントを受入れるべくロック部材が開かれている第１の位置からロック部材の径方向外側への移動が制限されている第２の位置に移動可能であり、当該接続解除フィードバック機構は、当該コレットが当該第１の位置にいる時、当該コレットのみまたは当該ハウジングのみを係合することを特徴とする流体の閉じられた移動のためのシステム。
【請求項１５】
接続解除フィードバック機構は、シリンジアダプタのハウジング内に配置されていることを特徴とする請求項１４に記載のシステム。
【請求項１６】
コレットは、コレットが第２の位置にあるとき、接続配列の第１の接続インターフェースに係合するように構成された第２の接続インターフェースを含むことを特徴とする請求項１４に記載のシステム。
【請求項１７】
接続解除フィードバック機構は、シール部材の延長部を備えることを特徴とする請求項１４に記載のシステム。
【請求項１８】
接続解除フィードバック機構は、コレットに固定された付勢部材を備えることを特徴とする請求項１４に記載のシステム。
【請求項１９】
接続解除フィードバック機構は、ハウジングに固定された付勢部材を備えることを特徴とする請求項１４に記載のシステム。
【請求項２０】
接続解除フィードバック機構は、コレットが第２の位置にあるときに、ハウジングの第２の端部に向けてコレットを付勢するように構成され、コレットは、第１の接続インターフェースが前記コレットから係合解除されたとき、ユーザへの指示を提供するべく、ハウジングが第１及び第２の端部の中間位置まで移動するように構成されていることを特徴とする請求項１４に記載のシステム。
【発明の詳細な説明】
【技術分野】
【０００１】
本開示は、一般に、流体の閉じられた移動のためのシステムに関する。より詳細には、本開示は、第１の容器から第２の容器への流体の移送中に漏れ防止シールを提供するシステムに関する。
【背景技術】
【０００２】
ヘルスケア提供者の例えば癌治療などの危険な薬の再構成、移送、及び投与は、これらの薬剤への曝露の危険に身を置き、ヘルスケア環境において深刻な危険性を提示している。例えば、癌患者を治療する看護師が、化学療法薬及びそれらの毒性作用にさらされる危険性である。意図しない化学療法曝露は、神経系に影響を与え、生殖系を損ない、将来的には血液癌を発症するリスクの増加をもたらす。毒性薬剤に曝されるヘルスケア提供者のリスクを低減するために、これらの薬剤の閉じられた移動が重要となっている。
【発明の概要】
【発明が解決しようとする課題】
【０００３】
いくつかの薬物は、それらが投与される前に、溶解又は希釈されねばならず、それは、ニードルを用いて、一つの容器から粉末又は液体の形態で薬物を含有している密封されたバイアルに溶媒を移動させることを含んでいる。バイアルからニードルを引き抜く時に、及びニードルがバイアルの内部にある間に、バイアルの内部と周囲の大気との間の圧力差が存在する場合には、薬物が誤ってガス状又はエアロゾル化して大気中に放出され得る。
【課題を解決するための手段】
【０００４】
一態様では、シリンジアダプタは、第１の端部及び第２端部を有するハウジングであって、第１の端部が第１の容器に固定されるように構成されているハウジング、第１の端部及び第２端部を有するカニューレであって、カニューレの第２の端部がハウジング内に配置されているカニューレ、及び第１の端部及び第２端部を有するコレットであって、コレットの少なくとも一部はハウジング内に受入れられているコレットを含んでいる。コレットは、通路を画定する本体と、通路により受入れられるシール部材と、コレットの本体に接続されたロック部材とを備え、コレットは、相手コネクタを受入れるべくロック部材が開かれている第１の位置からロック部材の径方向外側への移動が制限されている第２の位置に移動可能である。シリンジアダプタは、当該コレットが第２位置にあるときに、当該コレットをハウジングの第２端部に向かって付勢するように構成されている接続解除フィードバック機構をさらに含んでいる。
【０００５】
接続解除フィードバック機構は、シール部材の延長部であってもよい。シール部材の延長部は、コレットが第１の位置から第２の位置に移動されたときに、ハウジングの一部と係合するように構成され、それによってシール部材を圧縮し、そしてコレットをハウジングの第２の端部に向けて付勢してもよい。シール部材の延長部は、截頭円錐面を含んでもよい。シール部材の延長部は、ハウジングの第１端部からハウジングの第２の端部に延びる方向に先細になっていてもよい。延長部は、ハウジングの第２端部からハウジングの第１端部に延びる方向に幅が狭くなっていてもよい。
【０００６】
接続解除フィードバック機構は、コレットに固定された付勢部材でもよい。付勢部材はスプリングであってもよい。カニューレは、スプリングの中央開口部を通って延びていてもよい。付勢部材は、コレットが第１位置から第２位置に移動されたときに、ハウジングの一部と係合するように構成されており、それによって、付勢部材を圧縮し、ハウジングの第２端部に向けて、コレットを付勢してもよい。
【０００７】
接続解除フィードバック機構は、ハウジングに固定された付勢部材であってもよい。付勢部材はスプリングであってもよい。付勢部材は、コレットが第１の位置から第２の位置に移動されたとき、コレットの一部と係合するように構成されており、これにより付勢部材を圧縮し、そして、コレットをハウジングの第２端部に向けて付勢してもよい。
【０００８】
接続解除フィードバック機構は、ハウジングの第１の端部に隣接する位置からハウジングの第１及び第２の端部の中間の位置へコレットを移動させるべく構成されてもよい。
【０００９】
さらなる態様では、流体の閉じられた移動のためのシステムは、シリンジアダプタであって、第１の端部及び第２端部を有するハウジングであって、第１の端部が第１の容器に固定されるように構成されているハウジング、第１の端部及び第２端部を有するカニューレであって、カニューレの第２の端部がハウジング内に配置されているカニューレ、及び第１の端部及び第２端部を有するコレットであって、少なくとも一部がハウジング内に受入れられているコレットを含んでいる。コレットは、通路を画定する本体と、通路により受入れられるシール部材と、本体に接続されたロック部材とを含んでいる。コレットは、相手コネクタを受入れるべくロック部材が開かれている第１の位置からロック部材の径方向外側への移動が制限されている第２の位置に移動可能である。シリンジアダプタはまた、第１の接続インターフェースを有する接続配列を含み、第１の接続インターフェースが相手コネクタの対応する接続インターフェースに係合すべく構成されている。システムは、膜体とコレットのロック部材を受入れ且つ係合するように構成されたコレットインターフェース表面とを備える接続コンポーネント、及び第１の接続インターフェースが相手コネクタの対応する接続インタフェースから係合解除されたとき、ユーザに指示を提供するように構成された接続解除フィードバック機構をさらに含んでいる。
【００１０】
接続解除フィードバック機構は、シリンジアダプタのハウジング内に位置されるか、又は第２のコンポーネントに設けられてもよい。第２のコンポーネントは患者コネクタであってもよい。第２のコンポーネントは、コレットが第２の位置にあるとき、第１の接続インターフェースに係合すべく構成された第２の接続インターフェースを含んでもよい。
【００１１】
コレットは、コレットが第２の位置にあるとき、接続配列の第１の接続インターフェースに係合するように構成された第２の接続インターフェースを含んでもよい。
【００１２】
接続解除フィードバック機構は、シール部材の延長部であってもよい。
【００１３】
代わりに、接続解除フィードバック機構は、コレットに固定された付勢部材であってもよい。
【００１４】
さらに、接続解除フィードバック機構は、ハウジングに固定された付勢部材であってもよい。
【００１５】
接続解除フィードバック機構は、コレットが第２の位置にあるときに、ハウジングの第２の端部に向けてコレットを付勢するように構成され、コレットは、第１の接続インターフェースが相手コネクタの対応する接続インタフェースから係合解除されたとき、ユーザへの指示を提供するべく、ハウジングが第１及び第２の端部の中間位置まで移動するように構成されていてもよい。
【図面の簡単な説明】
【００１６】
本開示の上述の並びにその他の特徴及び利点、及びそれらを達成する方法はより明らかになり、開示自体は、添付の図面と併せて本開示の態様の以下の説明を参照することによってより良く理解されるであろう、ここで、
【図１】図１は、本発明の一態様によるシステムの斜視図である。
【図２】図２は、本発明の一態様による図１のシステムのシリンジアダプタの分解斜視図である。
【図３】図３は、本発明の一態様による図２のシリンジアダプタの正面図である。
【図４】図４は、本発明の一態様による図３のシリンジアダプタの左側面図である。
【図５】図５は、本発明の一態様による図４のシリンジアダプタの背面図である。
【図６】図６は、本発明の一態様による図５のシリンジアダプタの上面図である。
【図７】図７は、本発明の一態様による図２のシリンジアダプタの底面図である。
【図８】図８は、本発明の一態様による図３の線８-８に沿って取ったシリンジアダプタの断面図である。
【図９】図９は、本発明の一態様による図２のシリンジアダプタのコレットの斜視図である。
【図１０】図１０は、９本発明の一態様による図９のコレットの正面図である。
【図１１】図１１は、本発明の一態様による線１１-１１に沿って取った図１０のコレットの断面図である。
【図１２】図１２は、本発明の一態様による図１に示されるシステムの患者コネクタの斜視図である。
【図１３】図１３は、本発明の一態様による図１２の患者コネクタの正面図である。
【図１４】図１４は、本発明の一態様による図１２の患者コネクタの底面図である。
【図１５】図１５は、本発明の一態様による図１２の患者コネクタの上面図である。
【図１６】図１６は、本発明の一態様による線１６-１６に沿って取った図１５の患者コネクタの断面図である。
【図１７】図１７は、本発明の一態様による、患者コネクタにシリンジアダプタを固定する第１の段階が示されている図１のシステムの背面図である。
【図１８】図１８は、本発明の一態様による線１８-１８に沿って取った図１７のシステムの断面図である。
【図１９】図１９は、本発明の一態様による、患者コネクタにシリンジアダプタを固定する第２の段階が示されている図１のシステムの背面図である。
【図２０】図２０は、本発明の一態様による線２０-２０に沿って取った図１９のシステムの断面図である。
【図２１】図２１は、本発明の一態様による、患者コネクタにシリンジアダプタを固定する第３の段階が示されている図１のシステムの背面図である。
【図２２】図２２は、本発明の一態様による線２１-２１に沿って取った図２１のシステムの断面図である。
【図２３】図２３は、本発明の一態様による、患者コネクタにシリンジアダプタを固定する第４の段階が示されている図１のシステムの背面図である。
【図２４】図２４は、本発明の一態様による線２４-２４に沿って取った図２３のシステムの断面図である。
【図２５】図２５は、本発明の一態様による、患者コネクタにシリンジアダプタを固定する最終段階が示されている図１のシステムの背面図である。
【図２６】図２６は、本発明の一態様による線２６-２６に沿って取った図２５のシステムの断面図である。
【図２７】図２７は、本発明の第２の態様によるシステムの斜視図である。
【図２８】図２８は、本発明の一態様による図２７のシステムの分解斜視図である。
【図２９】図２９は、本発明の一態様による図２７のシステムの背面図である。
【図３０】図３０は、本発明の一態様による線３０-３０に沿って取った図２９のシステムの断面図である。
【図３１】図３１は、本発明の第三の態様によるシステムの斜視図である。
【図３２】図３２は、本発明の一態様による図３１のシステムの分解斜視図である。
【図３３】図３３は、本発明の一態様による図３１のシステムの背面図である。
【図３４】図３４は、本発明の一態様による線３４-３４に沿って取った図３３のシステムの断面図である。
【図３５】図３５は、本発明の第四の態様によるシステムの斜視図である。
【図３６】図３６は、本発明の一態様による図３５のシステムの分解斜視図である。
【図３７】図３７は、本発明の一態様による図３５のシステムの背面図である。
【図３８】図３８は、本発明の一態様による線３８-３８に沿って取った図３７のシステムの断面図である。
【図３９】図３９は、本発明の第五の態様によるシステムの斜視図である。
【図４０】図４０は、本発明の一態様による図３９のシステムの分解斜視図である。
【図４１】図４１は、本発明の一態様による図３９のシステムの正面図である。
【図４２】図４２は、本発明の一態様による線４２-４２に沿って取った図４１のシステムの断面図である。
【図４３Ａ】図４３Ａは、本発明のさらに別の態様によるシリンジアダプタの斜視図である。
【図４３Ｂ】図４３Ｂは、本発明の一態様による図４３Ａのシリンジアダプタの断面図である。
【図４４】図４４は、本発明の一態様による、図４３Ａのシリンジアダプタとの接続に使用するための患者コネクタの断面図である。
【図４５Ａ】図４５Ａは、本発明のさらなる態様によるコレットの斜視図である。
【図４５Ｂ】図４５Ｂは、本発明のさらなる態様によるコレットの斜視図である。
【図４５Ｃ】図４５Ｃは，本発明のさらなる態様によるコレットの斜視図である。
【図４５Ｄ】図４５Ｄは、本発明のさらなる態様によるコレットの斜視図である。
【図４５Ｅ】図４５Ｅは、本発明のさらなる態様によるコレットの斜視図である。
【図４５Ｆ】図４５Ｆは、本発明のさらなる態様によるコレットの斜視図である。
【図４６】図４６は、本発明の別の態様によるシステムの断面図である。
【図４７】図４７は、本発明のさらに別の態様によるシステムの断面図である。
【図４８Ａ】図４８Ａは、本発明のさらに他の態様によるシステムの斜視図であり、患者コネクタから切り離されたシリンジアダプタが示されている。
【図４８Ｂ】図４８Ｂは、図４８Ａのシステムの斜視図であり、患者コネクタに接続されたシリンジアダプタが示されている。
【図４９Ａ】図４９Ａは、本発明の一態様による線４９Ａ-４９Ａに沿って取った図４８Ａの断面図である。
【図４９Ｂ】図４９Ｂは、本発明の一態様による線４９Ｂ-４９Ｂに沿って取った図４８Ｂの断面図である。
【図５０Ａ】図５０Ａは、本発明のさらなる態様によるシステムの斜視図であり、患者コネクタから切り離されているシリンジアダプタが示されている。
【図５０Ｂ】図５０Ｂは、図５０Ａのシステムの斜視図であり、患者コネクタに接続されたシリンジアダプタが示されている。
【図５１Ａ】図５１Ａは、本発明の一態様による線５１Ａ−５１Ａに沿って取った図５０Ａの断面図である。
【図５１Ｂ】図５１Ｂは、本発明の一態様による線５１Ｂ-５１Ｂに沿って取った図５０Ｂの断面図である。
【図５２】図５２は、本発明の別の態様によるシリンジアダプタの断面図である。
【図５３】図５３は、本発明のさらなる態様によるシリンジアダプタの断面図である。
【図５４】図５４は、本発明のさらに別の態様によるシリンジアダプタの断面図である。
【図５５Ａ】図５５Ａは、本発明の種々の態様の一による第１の膜体の断面図である。
【図５５Ｂ】図５５Ｂは、本発明の種々の態様の一による第１の膜体の断面図である。
【図５５Ｃ】図５５Ｃは、本発明の種々の態様の一による第１の膜体の断面図である。
【図５５Ｄ】図５５Ｄは、本発明の種々の態様の一による第１の膜体の断面図である。
【図５５Ｅ】図５５Ｅは、本発明の種々の態様の一による第１の膜体の断面図である。
【図５５Ｆ】図５５Ｆは、本発明の種々の態様の一による第１の膜体の断面図である。
【図５５Ｇ】図５５Ｇは、本発明の種々の態様の一による第１の膜体の断面図である。
【図５６Ａ】図５６Ａは、本発明の種々の態様の一による第２の膜体の断面図である。
【図５６Ｂ】図５６Ｂは、本発明の種々の態様の一による第２の膜体の断面図である。
【図５６Ｃ】図５６Ｃは、本発明の種々の態様の一による第２の膜体の断面図である
【図５６Ｄ】図５６Ｄは、本発明の種々の態様の一による第２の膜体の断面図である。
【図５６Ｅ】図５６Ｅは、本発明の種々の態様の一による第２の膜体の断面図である。
【図５６Ｆ】図５６Ｆは、本発明の種々の態様の一による第２の膜体の断面図である。
【図５７Ａ】図５７Ａは、本発明の一態様による接続解除フィードバック機構を有するシリンジアダプタの断面図である。
【図５７Ｂ】図５７Ｂは、図図５７Ａに示したシリンジアダプタの断面図であり、本発明の一態様による圧縮された状態での接続解除フィードバック機構が示されている。
【図５８Ａ】図５８Ａは、本発明の第２の態様による接続解除フィードバック機構を有するシリンジアダプタの断面図である。
【図５８Ｂ】図５８Ｂは、図５８Ａに示したシリンジアダプタの断面図であり、本発明の一態様による圧縮された状態での接続解除フィードバック機構が示されている。
【図５９Ａ】図５９Ａは、本発明の一態様による接続解除フィードバック機構を有するシリンジアダプタの断面図である。
【図５９Ｂ】図５９Ｂは、図５９Ａに示したシリンジアダプタの断面図であり、本発明の一態様による圧縮された状態での接続解除フィードバック機構が示されている。
【００１７】
対応する参照文字は、いくつかの図を通して対応する部分を示す。本明細書に記載の例示は、本開示の例示的な態様を説明し、そのような例示は、いかなる方法でも本開示の範囲を限定するものとして解釈されるべきではない。
【発明を実施するための形態】
【００１８】
以下の説明は、当業者が、本発明を実施するために企図される態様を作成し使用することを可能にするために提供されている。しかしながら、種々の修正、均等物、変形例、及び代替物は、当業者には容易に明らかで残る。そして、任意のこのような全ての変更、変形、均等物、及び代替物は、本発明の精神及び範囲内に入ることが意図されている。
【００１９】
以下の説明の目的のため、用語「上」、「下」、「右」、「左」、「垂直」、「水平」、「上部」、「底部」、「横」、「縦」、及びその派生語は、それらが図面に配向されているように本発明に関連するものとする。しかしながら、明白に反対に特定された場合を除き、本発明は様々な代替の変形を想定することができることを理解すべきである。添付の図面に示され、そして以下の明細書に記載される特定の装置は、単に、本発明の例示的な態様であることも理解されるべきである。したがって、本明細書に開示された態様に関連する特定の寸法及び他の物理的特性は、限定的なものと見なされるべきではない。
【００２０】
図１を参照するに、流体の閉じられた移動のためのシステム１０の１つの態様は、シリンジアダプタ１２と患者コネクタ１４を含んでいる。システム１０は、バイアルのような第１の容器（図示せず）から、シリンジ、IVバッグ、又は患者静脈ラインのような第２の容器（図示せず）へ流体を移送中に実質的に漏れのないシールを提供する。システム１０の漏れ防止シールは、システム１０の使用中、空気及び液体の両方の漏れを実質的に防止している。図示していないが、システム１０は、バイアルアダプタ、均圧装置、IVバッグアダプタ、並びに注入ライン及び延伸セットのような典型的には閉鎖系移動装置に利用される他のコンポーネントをさらに含んでもよい。
【００２１】
図２-１４を参照するに、シリンジアダプタ１２の一態様は第１の端部１８と第２の端部２０を有し、内部空間２２を画定するハウジング１６を含む。シリンジアダプタ１２のハウジング１６の第１端部１８は、通路２６を画定する雌型ルアーコネクタのようなシリンジアタッチメント２４を含んでいる。シリンジ（図示せず）の対応する雄ルアーコネクタとの接続のために雌ルアーコネクタが示されているが、シリンジ、容器、又は任意の他の医療装置に接続するために、他の適切な接続構成が利用されてもよい。任意の他の適切な接続が利用され得るが、シリンジアタッチメント２４が、ねじ接続を介してハウジング１６の第１の端部１８に固定されている。遠位端部３０を有するカニューレ２８は、シリンジアタッチメント２４に固定され、及びシリンジアタッチメント２４の通路２６と流体連通状態にある。シリンジアダプタ１２は、シリンジアダプタ１２のハウジング１６内に位置されたシール配列（seal arrangement）をさらに含んでいる。シール配列は、第１の膜体３４を受入れるコレット３２を含んでいる。コレット３２は、以下により詳細に説明するように、シリンジアダプタ１２のハウジング１６の内部空間２２内を移動するように構成されている。シリンジアダプタ１２のハウジング１６は、ユーザによるシリンジアダプタ１２の把持を強化するための構造を含むことができる。追加又は代替のグリップ構造及び表面が、シリンジアダプタ１２の本体を把持する際にユーザを支援するために提供されてもよい。
【００２２】
図２-８を参照するに、シリンジアダプタ１２は、シリンジアダプタ１２のハウジング１６の横方向開口部４０内に受入れられるロック部材３８を含んでいる、シリンジアダプタ１２のハウジング１６の第１及び第２の端部１８、２０の中間に位置される第１の接続インターフェース３６を含む。ロック部材３８は、閉位置と開位置との間で移動するように構成されている。ロック部材３８は、中央開口部４２を画定し、そして、シリンジアダプタ１２のユーザ又はオペレータの手によって係合されるべく構成されているボタン４４を含んでいる。ロック部材３８は、シリンジアダプタ１２の長手方向に延びる片持ちのスプリング４６をさらに含んでいる。ロック部材３８は、シリンジアダプタ１２のハウジング１６から半径方向外方に延びるカム面と係合するように構成されている。具体的には、ロック部材３８は、外力がロック部材３８に印加されていないとき、ロック部材３８の中央開口部４２に隣接するロック部材３８の一部がシリンジアダプタ１２の内部空間２２内に位置される閉鎖位置で提供されるように構成されている。ロック部材３８は、ロック部材３８の中央開口部４２がシリンジアダプタ１２の内部空間２２に位置合わせされるか、又は内部空間２２に挿入されている対象物への干渉又は障壁を生成しない開放位置に移動されるとき、片持ちのスプリング４６が、ロック部材３８を閉鎖位置に向けて戻し付勢する付勢力を作成するべくカム面に係合する。したがって、ロック部材３８が開放位置に移動されるとき、ロック部材３８に作用している外力が解除された際に、ロック部材３８は閉鎖位置に戻り付勢される。ロック部材３８は、片持ちのスプリング４６を備えて示されているが、これらに限定されず、圧縮スプリング、拡張スプリング、エラストマー材料などを含む、他の任意の適切な付勢部材が設けられてもよい。
【００２３】
図２を参照するに、ロック部材３８は、ロック部材３８から半径方向外方に延びる一対の突起４８をさらに含んでいる。一対の突起４８は、シリンジアダプタ１２のハウジング１６にロック部材３８を保持するべくシリンジアダプタ１２のハウジング１６に設けられた対応する突起に係合するように構成されている。つまり、ロック部材３８の突起４８は、ロック部材３８がシリンジアダプタ１２のハウジング１６の横方向開口４０から接続解除され除去されるのを防止するために、シリンジアダプタ１２のハウジング１６の突起に係合するように構成されている。
【００２４】
図８-１１を参照するに、コレット３２は、第１の端部５４と第２の端部５６を有する本体５２を有している。本体５２は、本体５２を通って延びる通路５８を画定している。本体５２は、他の適切な形状のコレットを利用してもよいが、概ね円筒形である。コレット３２は、コレット３２の本体５２に接続されたロック部材６０をさらに含んでいる。以下でより詳細に議論されるように、コレット３２は、ロック部材６０が患者コネクタ１４のような（図１８に示される）相手コネクタを受入れるように開放されている第１の位置から、ロック部材６０の半径方向外方への移動が規制されている第２の位置に移動可能である。ロック部材６０は、複数のアーム６２を介して本体５２に接続されている。ロック部材６０は、複数のアーム６２を介しての本体５２への接続の結果として、円弧状で弾性である。より具体的には、複数のアーム６２は可撓性であり、ロック部材６０が半径方向外方又は半径方向内方に拡張することができる。一態様では、ロック部材６０は、患者コネクタ１４のような相手コネクタがロック部材６０に挿入され、そして続いてコレット３２が第１の位置から第２の位置に移行されるにつれ半径方向内方に移動しているときに、半径方向外方に拡張するように構成されている。代わりに、ロック部材６０は、患者コネクタ１４のような相手コネクタがロック部材６０に挿入され、そして続いてコレット３２が第１の位置から第２の位置に移行するにつれ半径方向内方に移動しているときに、半径方向内方又は外方に移動しなくてもよい。シリンジアダプタ１２のハウジング１６の第２端部２０は、コレット３２が第１の位置にあるときにロック部材６０を受入れる内部空間２２に隣接する環状凹部６４を画定している。ハウジング１６の環状凹部６４は、半径方向外方に拡大するロック部材６０のための空間を提供している。コレット３２が第１位置から第２位置へ移行されるとき、コレット３２は、ロック部材６０とシリンジアダプタ１２のハウジング１６との係合のせいで、ロック部材６０が半径方向内方に付勢された状態でシリンジアダプタ１２の第１端部１８に向かって軸方向に移動する。
【００２５】
図９に示されるように、コレット３２のロック部材６０は、コレット３２の長手方向軸に直交する方向に延びる一対の開口部６６を画定している。開口部６６は、コレット３２の本体５２に二つのアーム６２によって各々が接続されている２つの円弧状部分にロック部材６０を二股に分けている。しかしながら、以下でより詳細に説明するように、コレット３２とロック部材６０については、他の適切な構成及び形状が利用されてもよい。コレット３２のロック部材６０は、複数のアーム６２対して半径方向内方及び半径方向外方に突出している。
【００２６】
図８-１１を再び参照するに、コレット３２の本体５２は、シリンジアダプタ１２の第１の接続インターフェース３６に嵌合しロックするように構成された第２の接続インターフェース７０を含んでいる。第２の接続インターフェース７０は、コレット３２の本体５２によって画定画定され、より具体的には、ロック表面７２によって画定されている。第２の接続インターフェース７０は、コレット３２の第１の端部５４によって画定される導入表面をさらに含んでいる。第２の接続インタフェース７０の導入表面は、コレット３２の本体５２と導入表面との間に丸みを帯びた移行部を画定している。ロック表面７２は、コレット３２の本体５２に対して窪み、そして第１の接続インターフェース３６のロック部材３８を受入れるように構成されているリング形状の凹部である。ロック表面７２は、他の適切な形状及び角度を利用することができるが、９０度の角度によって画定されている。
【００２７】
コレット３２の第１の端部５４は、第１の接続インターフェース３６のロック部材３８が開位置にあるとき、シリンジアダプタ１２の内部空間２２内に受入れられ、そしてロック部材３８が閉位置にあるときシリンジアダプタ１２の内部空間２２内での移動が規制されるように構成されている。第２の接続インターフェース７０の導入表面は、ロック部材３８をさらに移動させ、そして、片持ちのスプリング４６をさらに付勢するために第１の接続インターフェース３６のロック部材３８に係合するように構成されている。第２の接続インターフェース７０が、第１の接続インターフェース３６に完全に結合されたとき、第１の接続インターフェース３６のロック部材３８は閉位置になり、第１の接続インターフェース３６を第２の接続インターフェース７０に対しての回転運動は許容するが、長手方向及び横方向の移動からロックするべく、ロック表面７２内に受入れられるように構成されている。
【００２８】
図２及び図８を参照するに、第１の膜体３４は、第１の端部８４及び第２の端部８６を有する本体８２を含んでいる。第１の膜体３４の本体８２の第１の端部８４と第２の端部８６は、それぞれ、第１ヘッド部８８と第２ヘッド部９０とを含んでいる。第１の膜体３４の本体８２は、本体８２の第１の端部８４から第２の端部８６に向かって延びる通路９２を画定している。通路９２は、本体８２の第１及び第２の端部８４、８６の中間位置で終端している。図８に示されるように、第１の膜体３４の本体８２は、コレット３２の通路５８によって受入れられ、そしてコレット３２に固定されている。第１の膜体３４の第１ヘッド部８８は、コレット３２の通路５８に隣接するコレット３２の反対穴部分に係合している。第２ヘッド部９０は、コレット３２の本体５２の通路５８を越えて延びており、第２のヘッド部９０がコレット３２の本体５２に係合している。第２のヘッド部分９０は、凸面を画定している。以下でより詳細に説明するように、他の適切な膜体配列が提供されてもよい。カニューレ２８は、コレット３２が第１の位置にあるとき、カニューレ２８の遠位端部３０が通路９２内に配置された状態で、第１の膜体３４の通路９２内に受入れられている。
【００２９】
カニューレ２８の遠位端部３０は、コレット３２が第１位置から第２位置に移行されるときに、第１の膜体３４を穿刺し、そして第１の膜体３４を通って延びるように構成されている。第１の膜体３４はシリンジアダプタ１２の使用中に、カニューレ２８の中間部分に係合しシールするように構成されており、患者コネクタ１４すなわち相手部品とのシールされた漏れのない接続を維持する。
【００３０】
以下でより詳細に議論されるように、使用中に、患者コネクタ１４、バイアルアダプタ、又はIVバッグスパイクからの膜体のような対応する膜体による第１の膜体３４の係合時、コレット３２は、シリンジアダプタ１２をシリンジアダプタ１２に固定されている対応するデバイスと流体連通状態に置くべく、カニューレ２８の遠位端部３０がの第１の膜体３４を貫通するように、シリンジアダプタ１２の第１の端部１８に向かって移動し、そして第１位置から第２位置へ移行するように構成されている。コレット３２が第１の位置に戻されると、第１の膜体３４は対応する膜体から係合解除され、それによって、カニューレ２８の遠位端部３０をコレット３２と第１膜体３４の通路５８、９２内に位置決めすることができる。このような配列は、ニードル刺し事故を防止するために、カニューレ２８の遠位端部３０を遮蔽し、及びまた、シリンジアダプタ１２を使用する場合にも、流体の移送中における流体の漏れを防止している。
【００３１】
図１２-１６を参照するに、患者コネクタ１４は、第１の端部１０４と第２の端部１０６を有し、それらを通って延在する通路１０８を画定している本体１０２を含んでいる。患者コネクタ１４の第１の端部１０４はまた、コレット・インターフェース１１０を含んでいる。コレット・インターフェース１１０は、患者コネクタ１４の本体１０２の第１の端部１０４に対して相対的に凹まされている、患者コネクタ１４の本体１０２の部分によって画定されている。患者コネクタ１４の本体１０２の第１の端部１０４はまた、第２の膜体１１４を受入れる膜体座１１２を含んでいる。シリンジアダプタ１２に関連して上述したように、患者コネクタ１４の第２の膜体１１４は、シリンジアダプタ１２の第１の膜体３４に係合し、そして流体の移送中に実質的に漏れのないシリンジアダプタ１２との接続を提供するように構成されている。患者コネクタ１４の第２の端部１０６は、任意の他の適切な接続構成を利用することができるが、雄ルアーコネクタのような、静脈ラインアタッチメント１１６を含んでいる。
【００３２】
図１７-２６を参照するに、患者コネクタ１４とシリンジアダプタ１２を結合する過程が示されている。シリンジアダプタ１２が患者コネクタ１４に接続されて示されているが、シリンジアダプタ１２は、患者コネクタ１４と同様の構成を有する、これらに限定されないが、バイアルアダプタ及びIVバッグアダプタなどを含んでいる、他の構成要素に同様に接続するであろう。図１７及び図１８にに示されるように、シリンジアダプタ１２の内部空間２２は、患者コネクタ１４と位置合わせされている。具体的には、シリンジアダプタ１２の長手方向軸は、閉位置にある第１の接続インターフェース３６のロック部材３８と患者コネクタ１４の長手方向軸とが整列されている。図１９-２０に示されるように、患者コネクタ１４は、コレット３２が第１の位置に設けられた状態で、ロック部材６０が患者コネクタ１４を受入れるべく開いているように、コレット３２に向けてシリンジアダプタ１２の内部空間２２に移動される。
【００３３】
図２１及び２２を参照するに、シリンジアダプタ１２の第１の端部１８に向けての患者コネクタ１４のさらなる移動は、第１の膜体３４が第２の膜体１１４に係合し、且つ患者コネクタ１４の第１端部１０４がコレット３２のロック部材６０を通過するのを引き起こす。上述したように、患者コネクタ１４のロック部材６０内での移動は、ロック部材６０を半径方向外方に付勢し、又は、代わりに、ロック部材６０の半径方向の移動なしに患者コネクタ１４の第１端部１０４を受入れることができる。ロック部材６０とシリンジアダプタ１２のハウジング１６との間の干渉、並びに患者コネクタ１４の第１端部１０４とロック部材６０との接触のせいで、コレット３２は、第１及び第２の膜体３４、１１４が十分に圧縮され、そしてロック部材６０が患者コネクタ１４のコレット・インターフェース１１０内に受入れられるまで、シリンジアダプタ１２の第１端部１８に向かって移動することはない。第１及び第２の膜体３４、１１４が十分に圧縮されると、ロック部材６０とシリンジアダプタ１２のハウジング１６との係合、及びコレット３２のシリンジアダプタ１２の第１端部１８に向けての継続的な軸方向の動きのせいで、ロック部材６０は患者コネクタ１４のコレット・インターフェース１１０内に押し込まれる。
【００３４】
図２３及び２４を参照するに、シリンジアダプタ１２の第１の端部１８に向けての患者コネクタ１４の更なる継続的移動は、第１及び第２の膜体３４、１１４の係合によって、コレット３２もまた、シリンジアダプタ１２の第１の端部１８に向かって移動することを生じさせる。この段階では、コレット３２は第２の位置にあり、コレット３２のロック部材６０のコレット・インターフェース１１０との係合のせいで、患者コネクタ１４の第１の端部１０４はロックされ、そしてコレット３２に固定されるであろう。コレット３２のロック部材６０は、コレット３２が第１の位置に戻されるまで、患者コネクタ１４を解放すべく半径方向外方に拡大することができない。また、この段階での継続的な移動中に、第１の接続インターフェース３６のロック部材３８は、コレット３２の第２の接続インターフェース７０と係合し、これは、（図２２に示される）閉位置から（図２４に示される）開位置にロック部材３８を移行させる。
【００３５】
ロック部材３８が閉位置から開位置へ移動されると、片持ちスプリング４６はシリンジアダプタ１２のハウジング１６のカム面に係合し、これは、ロック部材３８を閉鎖位置に戻すべく付勢する付勢力を生成する。しかしながら、閉位置へ戻すような移動は、コレット３２の本体５２とロック部材３８の係合によって防止されている。図２４は、コレット３２と第１の接続インターフェース３６との間の重複（重なり）が示されているが、本明細書に記載されるように、コレット３２は、第１の接続インターフェース３６を移動させている。同様に、コレット３２のロック部材６０は、シリンジアダプタ１２のハウジング１６に重ならず、本明細書に記載されるように、内方に押される。開位置にある第１の接続インターフェース３６のロック部材３８でもって、第２の接続インターフェース７０は、シリンジアダプタ１２の患者コネクタ１４への結合の処理を続行するべく、シリンジアダプタ１２の内部空間２２内でその移動を継続することが許容される。このステップの間、カニューレ２８の遠位端部３０は、第１及び第２の膜体３４、１１４を穿刺し、患者コネクタ１４の通路１０８と流体連通するように配置される。
【００３６】
図２５及び２６を参照するに、患者コネクタ１４及びコレット３２は、第１の膜体３４がシリンジアダプタ１２のシリンジアタッチメント２４に当接する、及び/又は患者コネクタ１４の第２の端部１０６がシリンジアダプタ１２の第２端部２０に当接するときまで、シリンジアダプタ１４の第１の端部１８に向かって移動される。この段階では、コレット３２の第２の接続インターフェース７０は、ロック部材３８が第２の接続インターフェース７０内に受入れられるように、第１の接続インターフェース３６のロック部材３８に整列されている。ロック部材３８は、片持ちのスプリング４６によって閉位置に向けて付勢されており、ロック部材３８が第２の接続インターフェース７０に到達したとき、ロック部材３８は、ロック部材３８の一部がシリンジアダプタ１２の内側空間２２内に位置されている閉位置に自由に移動する。
【００３７】
図２６に示されている位置において、第１の接続インターフェース３６は完全に結合され、第２の接続インターフェース７０に対してロックされている。
【００３８】
このような位置では、シリンジアダプタ１２は、第１の接続インターフェース３６のロック部材３８と第２の接続インターフェース７０との間の係合により患者コネクタ１４から接続解除されることが防止されている。第１の接続インターフェース３６及び第２の接続インターフェース７０の間のロック係合が、互いに対する軸方向及び横方向の動きを防止しているが、第１の接続インターフェース３６及び第２接続インタフェース７０は、互いにロックされたとき、互いに対して回転自在であり、これは、構成要素間の回転の欠如に関連する、IVラインのもつれ及び/又は他の偶発的係合解除又は装置のの故障を有利に防止する。具体的には、患者コネクタ１４は、典型的には、患者の静脈ラインに取り付けられており、そして、第１の接続インタフェースの第２の接続インタフェースに対する回転が患者コネクタ１４に接続された患者のIVラインのねじれを防止するべく支援している。しかしながら、第１の接続インターフェース３６及び第２の接続インターフェース７０は、所望であれば、このような相対的な回転を防止するべくキー付き表面構成を備えていてもよい。
【００３９】
図１７-２６を再び参照するに、第２の接続インターフェース７０から第１の接続インターフェース３６を接続解除するために、第１の接続インターフェース３６のロック部材３８のボタン４４が、ユーザによって係合され、ロック部材３８を閉位置から開位置に移行させるべく、半径方向内方に押される。患者コネクタ１４は、その後、シリンジアダプタ１２を患者コネクタ１４に接続するための手順の逆の順序で、シリンジアダプタ１２の内部空間２２から除去されてもよい。第２の接続インターフェース７０が第１の接続インターフェース３６から分離されると、ロック部材３８は閉位置に移動される。患者コネクタ１４は、コレット３２が図２２に示される、コレット３２のロック部材６０がハウジング１６の環状凹部６４内に半径方向外方に拡大することができる、第１の位置に戻されるまで、シリンジアダプタ１２から分離され得ず、それによって、患者コネクタ１４のコレット３２からの分離を可能にしている。図示されていないが、シリンジアダプタ１２には、シリンジアダプタの相手部品への接続中に、ユーザへの視覚的、触覚的、又は聴覚的指示を提供するために、１つ以上の表示配置が設けられてもよい。
【００４０】
上述のシステム１０と同様に、以下に説明されるシステム１０の更なる態様は、第１の膜体３４とカニューレ２８との間の摩擦を低減するための１つ以上の配列を含むことができる。そのような配列は、第１の膜体３４の上又は中、及び/又は、カニューレ２８に付与された潤滑剤であってもよい。潤滑剤は、他の任意の適切な潤滑剤であってもよいが、シリコーン系潤滑剤、コーティング、層、材料等を利用することができる。第１の膜体３４及び/又はニードル２８は、潤滑剤が塗布された、及び/又は潤滑剤が含浸された滑らかな又は摩擦低減材料から作成されることができる。第１の膜体３４とカニューレ２８との間の摩擦を低減するための構成は、湿式及び/又は乾式の潤滑システムであってもよい。
【００４１】
図２７-３０を参照するに、流体の閉じられた移動のためのシステム１４０のさらなる態様が示されている。図２７-３０に示されるシステム１４０は、図１−２６に示され、上述されたシステム１０と同様である。しかしながら、図２７-３０に示されるシステム１４０においては、コレット３２のロック部材６０は、リング状であり、コレット３２の長手方向軸に対して横方向に延びる一つの開口１４２を画定している。さらに、システム１４０は、シリンジアダプタ１２からのシリンジの偶発的な接続解除を防止する接続解除防止機構１４４を含んでいる。コレット３２がシリンジアダプタ１２の第１の端部１８に向かって完全に変位されると、コレット３２は、シリンジアタッチメント２４が自由に回転できるようにすることで、シリンジアダプタ１２からのシリンジの接続解除を実質的に防止すべく、接続解除防止機構１４４と係合することができる。患者コネクタ１４はまた、第２の膜体１１４の対応する形状の部分を受入れ、且つ係合する少なくとも一つの突起部と上部リム１４８を有する膜体座１４６を含むことができる。第２の膜体１１４は、他の適切な取付け構成が利用されてもよいが、超音波溶接を介して、座１４６をかしめることにより、又は接着剤によって膜体座１４６に固定されてもよい。
【００４２】
図３１-３４を参照するに、流体の閉じられた移動のためのシステム１５２のさらなる態様が示されている。図３１‐３４に示されているシステム１５２は、図１-２６に示され、上で論じられたシステム１０と同様である。しかしながら、
図３１-３４に示されたシステム１５２において、第１の膜体１５４は、コレット３２によって画定される対応する座部１５８内に受入れられるフランジ部１５６を備える概ねT字形である。
【００４３】
図３５-３８を参照するに、流体の閉じられた移動のためのシステム１６２のさらなる態様が示されている。図３５‐３８に示されているシステム１６２は、図１-２６に示され、上で論じられたシステムと同様である。しかしながら、図３５-３８に示されたシステム１６２においては、コレット３２が、一対の離間された膜体１６４を受入れており、コレット３２内でそれらの間に空間を画定している。一対の膜体１６４は、それぞれ、第１及び第２の膜体座１６６によって受入れられる。
【００４４】
図３９-４２を参照するに、流体の閉じられた移動のためのシステム１７０のさらなる態様が示されている。図３９-４２に示されているシステム１７０は、図１−２６に示され、上で論じられたシステム１０と同様である。しかしながら、図３９-４２に示されたシステム１７０においては、第１の膜体１７１が、コレット３２の対応する突起１７４によって受入れられる環状凹部１７２を画定している。さらに、第１の膜体１７１は輪郭付けられ、そして、コレット３２の対応して輪郭付けられた部分によって受入れられる。第２の膜体１７５はまた、患者コネクタ１４の対応する突起１７８によって受入れられる環状凹部１７６を画定している。患者コネクタ１４の本体１０２は、超音波溶接、スピン溶接、又はレーザ溶接などの任意の適切な固定配列によって互いに固定される外側部分１８０及び内側部分１８２によって画定されている。
【００４５】
図４３Ａ、４３Ｂ、及び４４を参照するに、シリンジアダプタ１２Ａの別の態様が示されている。図４３Ａ、４３Ｂ、及び４４に示されるシリンジアダプタ１２Ａは、図１‐１１に示され且つ上で論じられたシリンジアダプタ１２と同様である。しかしながら、図４３Ａ、４３Ｂ、及び４４に示されたシリンジアダプタ１２Ａは、シリンジアダプタ１２Ａの第２の端部２０又はその近傍に第１の接続インタフェース３６を提供している。さらに、コレット３２に第２の接続インターフェース７０を提供すると云うよりもむしろ、患者コネクタ１４は、コレット・インタフェース１１０、並びに第２の接続インターフェース７０の両者を含んでいる。シリンジアダプタ１２Ａは、図１-２６に関連して上に述べられたのと同様に動作する。
【００４６】
図４５Ａ-４５Fを参照するに、図９-１１のコレット３２のさらなる態様が示されている。図４５Ａにおいて、コレット３２のロック部材６０は連続的でリング状であり、そして、ロック部材６０が半径方向外方に拡大するのを可能にするように構成されている、複数のノッチを画定している。図４５Ｂにおいて、ロック部材６０はリング状であり、コレット３２の長手方向軸に対して横方向に延在する小さなスリットを画定している。図４５Cにおいて、コレット３２の本体５２は、本体５２の延長部２０２を介してロック部材６０に固定され、そして、ロック部材６０はリング状であり、ロック部材６０が半径方向外方に拡大するのを許容するように構成されたスリット２０４を画定している。図４５Dにおいて、複数のアーム６２のそれぞれは、各アーム６２の端部において拡大されたヘッド部分によって形成されている、それぞれの、ロック部材６０を含んでいる。図４５Eにおいて、ロック部材６０は半リング形状である。図４５Fにおいて、ロック部材６０は円弧状であり、単一の開口部を画定している。
【００４７】
図４６を参照するに、図１-１１のシリンジアダプタ１２の更なる態様が示されている。特に、第１の膜体３４は、概ねスリーブ状であり、患者コネクタ１４との係合時に後退するように構成されている。
【００４８】
図４７を参照するに、図１-１１のシリンジアダプタ１２の更なる態様が示されている。具体的には、第１の膜体３４は、第１の膜体３４の第１及び第２の端部に凸部を有する概ね円筒形である。
【００４９】
図４８Ａ-４９Ｂを参照するに、図１-１１のシリンジアダプタ１２の更なる態様が示されている。図４８Ａ-４９Ｂに示されているシリンジアダプタ２１０は、は、コレット２１２に一体的に設けられている一対の弾性ボタン２１４を有するコレット２１２を含んでいる。ボタン２１４は、一旦、シリンジアダプタ２１０が完全に接続され、患者コネクタ１４のような相手コネクタと流体連通すると、コレット２１２をロックするべく、シリンジアダプタ２１０のハウジング１６における一対の開口部２１６によって受入れられる。ボタン２１４を押すと、相手コネクタが係合解除されシリンジアダプタ２１０から取り外されることを可能にしている。
【００５０】
図５０Ａ-５１Ｂを参照するに、図４８Ａ-４９Ｂに示されるように、コレット２１２にボタン２１４を設けるのではなくむしろ、間接的なボタン配列が提供されてもよい。具体的には、シリンジアダプタ１２のハウジング１６には、シリンジアダプタ１２の内部空間２２内に内側に押されるように構成されている一対のボタン２２０が設けられている。コレット２１２は、一旦、シリンジアダプタ２１０が完全に接続され、患者コネクタ１４のような相手コネクタと流体連通しているコレット２１２をロックするべく構成されている弾性ボタンのインターフェース部分２２２を含んでいる。ボタン２２０を押すと、コレット２１２のボタンインタフェース部分２２２が係合解除し、相手コネクタが係合解除され、シリンジアダプタ２１０から取り外されるのを許容する。
【００５１】
図５２−５４を参照するに、図９-１１のコレット３２のさらなる態様が示されている。具体的には、単一のすなわち単一の成形部品として形成されるコレットを提供するよりもむしろ、コレット３２は、コレット３２を形成するために互いに固定される１つ以上の部品から形成されてもよい。多部品のコレットの態様は、コレット３２の最終組立前に膜体がインストールされ得る、様々な膜体配列を可能にしている。コレット３２を形成する複数の部品は、超音波溶接、スピン溶接、又はレーザ溶接などの任意の適切な接合方法を介して相互に固定されてもよい。
【００５２】
図５５Ａ-５５Gを参照するに、第１の膜体３４の更なる態様が示されている。具体的には、様々な形状、構成、及びキャビティが第１の膜体３４のために利用されてもよい。また、図５５Gに示されるように、第１の膜体３４は、第１の膜体３４内に位置決めされたインサート２２８を含むことができる。図５５Ａ-５５Gに示されている幾何学形状は、相手部品に対し押し引きされ、二次組立プロセス又は多部品ハウジングを必要とせずに保持され得る。図５５D、５５E、及び５５Fに示されている第１の膜体３４の態様は、使用中に、カニューレ２８の中間部に係合しシールするべく、第１の膜体３４の頂部にシール部２３０を含んでいる。
【００５３】
図５６Ａ-５６Fを参照するに、第２の膜体１１４の更なる態様が示されている。具体的には、様々な形状、構成、及びキャビティが、第２の膜体１１４のために利用されてもよい。第２の膜体１１４は、キャビティ、凸状の頂面を含み、且つ、保持溝（図５６Ａ及び５６Ｂ）を含んでもよい。第２の膜体１１４は、平らな又は平担な頂表面を含むことができる（図５６Ｃ）。第２の膜体１１４はまた、キャビティ又は突起無し（図５６D）、突起有り（図５６E）、キャビティ有り（図５６F）、又は上記の特徴の他の適切な任意の組み合わせの凸状頂面を備えるフランジを含んでもよい。
【００５４】
図５７Ａ及び５７Ｂを参照するに、シリンジアダプタ２４０のさらなる態様が示されている。図５７Ａ及び５７Ｂに示されているシリンジアダプタ２４０は、上記のシリンジアダプタ１２、１９０、２１０に似ているが、接続解除フィードバック機構２４２をさらに含んでいる。図５７Ａに示されるように、接続解除フィードバック機構２４２は、第１の膜体３４の延長部２４４として具現化されている。他の適切な形状の面を利用することができるが、第１の膜体３４の延長部２４４は截頭円錐面を含んでいる。延長部２４４はまた、コレット３２の通路５８内に包含されてもよいが、延長部２４４は、コレット３２の第１の端部５４を越えて延びている。延長部２４４は、（図５７Ａに示される）非付勢状態及び（図５７Ｂに示される）付勢状態を有している。図２６に示されるように、シリンジアダプタ１２が、第１及び第２の接続インターフェース３６、７０を備える患者コネクタ１４に完全に接続されたとき、第１及び第２のインターフェイス３６、７０との間の接続を解除するべく、第１の接続インターフェース３６のボタン４４を押すことが、シリンジアダプタ１２が患者コネクタ１４から除去され得るとのユーザへの指示を典型的には提供しない。図５７Ｂに示されるように、第１の接続インターフェース３６が第２の接続インターフェース７０に係合している状態で、シリンジアダプタ２４０が完全に患者コネクタ１４に接続されているとき、第１の膜体３４の延長部２４４は、第１の膜体３４の延長部分２４４とシリンジアタッチメント２４との係合によって引き起こされる付勢状態にある。第１の接続インターフェース３６のボタン４４の係合及び係合解除の際、第１の膜体３４の延長部２４４はコレット３２をシリンジアダプタ１２の第２の端部２０に向けて付勢し、これにより、第１の接続インターフェース３６が第２の接続インターフェース７０から係合解除され、且つ、シリンジアダプタ１２が患者コネクタ１４から分離され得るとのユーザへの指示を提供する。したがって、第１の膜体３４の延長部２４４は、付勢された状態のときに付勢力を与え、付勢力によって引き起こされたコレット３２及び患者コネクタ１４の動きの結果として、ユーザに「キックオフ」指示を提供している。接続解除フィードバック機構２４２は、シリンジアダプタ１２内で小さな距離だけコレット３２を移動させるのみでよい。具体的には、接続解除フィードバック機構２４２は、シリンジアダプタ１２の第１の端部１８からシリンジアダプタ１２の第１及び第２の端部１８、２０の中間位置にまで、コレット３２を付勢するのみでよい。
【００５５】
図５８Ａ及び５８Ｂを参照するに、接続解除フィードバック機構２５４のさらなる態様が示されている。第１の膜体３４の延長部２４４を設けるよりもむしろ、付勢部材２５６が、コレット３２の第１の端部５４に設けられてもよい。付勢部材２５６は、（図５８Ａに示される）非付勢状態及び（図５８Ｂに示される）付勢状態を有している。他の適切な付勢部材が利用されてもよいが、付勢部材２５６は、コレット３２に固定されるか、又は一体に形成された圧縮スプリングであってもよい。付勢部材２５６は、第１の膜体３４の延長部２４４と関連して上述したのと同様に動作する。
【００５６】
図５９Ａ及び５９Ｂを参照するに、接続解除フィードバック機構２６０のさらなる態様が示されている。コレット３２の第１の端部５４に付勢部材２５６を設けるよりもむしろ、付勢部材２５６は、シリンジアダプタ１２の第１の端部１８又はシリンジアタッチメント２４に固定されてもよい。付勢部材２５６は、非付勢状態（図５９Ａに示される）及び付勢状態（図５９Ｂに示される）を有している。付勢部材２５６は、第１の膜体３４の延長部２４４と関連して上述したのと同じように動作する。
【００５７】
図５７Ａ-５９Ｂに示されている接続解除フィードバック機構２４２、２５４、２６０は、シリンジアダプタ１２に関連して示されているが、接続解除フィードバック機構２４２、２５４、２６０はまた、患者コネクタ１４のような他の構成要素上に設けられ得る。さらに、接続解除フィードバック機構２４２、２５４、２６０は、コレット３２の全移動距離に亘って圧縮されるか、又はコレット３２の部分的な移動距離でのみ圧縮されてもよい。接続解除フィードバック機構２４２、２５４、２６０は、シリンジアダプタ１２が相手コネクタに接続されるとき、エネルギーを蓄積し、そして付勢された状態に移動する。
【００５８】
本開示は、例示的な設計を有するものとして説明されてきたが、本発明はさらに、本開示の精神及び範囲内で変更することができる。本出願はしたがって、その概略的な原理を用いて、本開示の任意の変形、用途、さらに、本出願は、本開示が関係し及び添付の特許請求の範囲の範囲内に入り、当技術分野で公知又は慣行内に入るような本開示からの逸脱をカバーすることが意図されている。
【図１】
0006466967.tif 000002
【図２】
0006466967.tif 000003
【図３】
0006466967.tif 000004
【図４】
0006466967.tif 000005
【図５】
0006466967.tif 000006
【図６】
0006466967.tif 000007
【図７】
0006466967.tif 000008
【図８】
0006466967.tif 000009
【図９】
0006466967.tif 000010
【図１０】
0006466967.tif 000011
【図１１】
0006466967.tif 000012
【図１２】
0006466967.tif 000013
【図１３】
0006466967.tif 000014
【図１４】
0006466967.tif 000015
【図１５】
0006466967.tif 000016
【図１６】
0006466967.tif 000017
【図１７】
0006466967.tif 000018
【図１８】
0006466967.tif 000019
【図１９】
0006466967.tif 000020
【図２０】
0006466967.tif 000021
【図２１】
0006466967.tif 000022
【図２２】
0006466967.tif 000023
【図２３】
0006466967.tif 000024
【図２４】
0006466967.tif 000025
【図２５】
0006466967.tif 000026
【図２６】
0006466967.tif 000027
【図２７】
0006466967.tif 000028
【図２８】
0006466967.tif 000029
【図２９】
0006466967.tif 000030
【図３０】
0006466967.tif 000031
【図３１】
0006466967.tif 000032
【図３２】
0006466967.tif 000033
【図３３】
0006466967.tif 000034
【図３４】
0006466967.tif 000035
【図３５】
0006466967.tif 000036
【図３６】
0006466967.tif 000037
【図３７】
0006466967.tif 000038
【図３８】
0006466967.tif 000039
【図３９】
0006466967.tif 000040
【図４０】
0006466967.tif 000041
【図４１】
0006466967.tif 000042
【図４２】
0006466967.tif 000043
【図４３Ａ】
0006466967.tif 000044
【図４３Ｂ】
0006466967.tif 000045
【図４４】
0006466967.tif 000046
【図４５Ａ】
0006466967.tif 000047
【図４５Ｂ】
0006466967.tif 000048
【図４５Ｃ】
0006466967.tif 000049
【図４５Ｄ】
0006466967.tif 000050
【図４５Ｅ】
0006466967.tif 000051
【図４５Ｆ】
0006466967.tif 000052
【図４６】
0006466967.tif 000053
【図４７】
0006466967.tif 000054
【図４８Ａ】
0006466967.tif 000055
【図４８Ｂ】
0006466967.tif 000056
【図４９Ａ】
0006466967.tif 000057
【図４９Ｂ】
0006466967.tif 000058
【図５０Ａ】
0006466967.tif 000059
【図５０Ｂ】
0006466967.tif 000060
【図５１Ａ】
0006466967.tif 000061
【図５１Ｂ】
0006466967.tif 000062
【図５２】
0006466967.tif 000063
【図５３】
0006466967.tif 000064
【図５４】
0006466967.tif 000065
【図５５Ａ】
0006466967.tif 000066
【図５５Ｂ】
0006466967.tif 000067
【図５５Ｃ】
0006466967.tif 000068
【図５５Ｄ】
0006466967.tif 000069
【図５５Ｅ】
0006466967.tif 000070
【図５５Ｆ】
0006466967.tif 000071
【図５５Ｇ】
0006466967.tif 000072
【図５６Ａ】
0006466967.tif 000073
【図５６Ｂ】
0006466967.tif 000074
【図５６Ｃ】
0006466967.tif 000075
【図５６Ｄ】
0006466967.tif 000076
【図５６Ｅ】
0006466967.tif 000077
【図５６Ｆ】
0006466967.tif 000078
【図５７Ａ】
0006466967.tif 000079
【図５７Ｂ】
0006466967.tif 000080
【図５８Ａ】
0006466967.tif 000081
【図５８Ｂ】
0006466967.tif 000082
【図５９Ａ】
0006466967.tif 000083
【図５９Ｂ】
0006466967.tif 000084